(57)【要約】【課題】広告表示面を大きく取ることができ、消費者が製品情報を一目で認識することができる粘着式清掃具用の商品パッケージを提供する。【解決手段】１枚のシート体の一端側に舌片２２を残すようにＵ字状に切り欠かれた切欠孔２１を有し、切欠孔２１にグリップ１１を挿通した状態で保護カバー１３の外周面に沿って巻回されるカバー被覆面２と、カバー被覆面２の一端からグリップ１１の背面に沿ってグリップの先端まで延設されるグリップ被覆面３と、グリップ１１の先端から折り返され、グリップ被覆面３との間でグリップ１１を挟み込んで支持するグリップ支持面４とを有する。【選択図】図１
2008254786.tif 000002
【特許請求の範囲】
【請求項１】
粘着面が表側を向くように巻回された粘着テープロールを回転可能に支持するテープロール支持部および上記テープロール支持部の一端に設けられるグリップを有する清掃具本体と、上記粘着テープロールの外周面を覆い隠すカバーとを備えた粘着式清掃具を陳列展示するための商品パッケージにおいて、
１枚のシート体からなり、一端側に舌片を残すようにＵ字状に切り欠かれた切欠孔を有し、上記切欠孔に上記グリップ部を挿通した状態で、上記カバーの外周面に沿って巻回されるカバー被覆面と、一端が上記カバー被覆面の他端に連結され、上記グリップの側面に沿って上記グリップの先端まで延設されるグリップ被覆面と、一端が上記グリップ被覆面の他端に連結され、折り線を介して上記グリップの先端から折り返され、上記グリップ被覆面との間で上記グリップを挟み込んで支持するグリップ支持面とを有することを特徴とする商品パッケージ。
【請求項２】
上記カバー被覆面と上記グリップ被覆面の境界部には、上記舌片が差し込まれるスリットが設けられていることを特徴とする請求項１に記載の商品パッケージ。
【請求項３】
上記グリップ被覆面と上記グリップ支持面との境界部には、上記グリップの先端に設けられた吊下孔を露出させるための開口部が設けられていることを特徴とする請求項１または２に記載の商品パッケージ。
【請求項４】
上記グリップ被覆面または上記グリップ支持面のいずれか一方には、Ｕ字状の切欠溝によって形成される係止片を有し、いずれか他方には上記係止片が挿入される係止溝が設けられていることを特徴とする請求項１ないし３のいずれか１項に記載の商品パッケージ。
【請求項５】
上記カバー被覆面および上記グリップ被覆面は、上記粘着式清掃具の仕様や使用方法などの情報が表示される表示面として利用されることを特徴とする請求項１ないし４のいずれか１項に記載の商品パッケージ。
【発明の詳細な説明】
【技術分野】
【０００１】
本発明は、粘着式清掃具の商品パッケージに関し、さらに詳しく言えば、商品の仕様やＰＯＰ広告を一目で確認することができる商品パッケージに関する。
【背景技術】
【０００２】
粘着式清掃具は、片面粘着テープの粘着面が表側を向くようにロール状に巻回した粘着テープロールを専用の治具（清掃具本体）に装着して、粘着面を床などの被清掃面に接触させながら転がすことにより、被清掃面上のゴミを粘着面で捕らえる清掃具である。
【０００３】
その形状は種々であるが、衣服に付着したゴミを捕らえるなどの簡易タイプの粘着式清掃具として、例えば特許文献１がある。この種の粘着式清掃具は、不使用時に粘着面を保護するために、粘着テープロールを覆い隠す保護ケースが設けられているものがある。
【０００４】
一般に、保護ケースは、２つのカバーメンバーをヒンジなどで開閉可能に連結して粘着テープロールを挟んで覆う開閉式カバーと、円筒状に形成されたカバーの一端を開放し、そこに粘着テープロールを差し込む差込式カバー（スリーブケース）の２タイプが主流となっている。
【０００５】
ところで、この保護ケースは、粘着式清掃具を販売する際に粘着式清掃具を自立した状態で陳列展示することができるよう脚部が設けられている。また保護ケースの外周面には、保護ケースをカバーするとともに、商品説明などのＰＯＰ広告が記載された樹脂や紙製フィルムの商品パッケージが施されている。
【０００６】
【特許文献１】特開２００３−５２６０２号公報
【発明の開示】
【発明が解決しようとする課題】
【０００７】
しかしながら、今までの粘着式清掃具用の商品パッケージには、次のような問題があった。すなわち、従来の商品パッケージは、保護ケースの外周面にのみに設けられていたため、粘着テープの種類や清掃具の仕様などを大きくわかりやすく表示するには広告表示面が小さかった。
【課題を解決するための手段】
【０００８】
そこで、本発明は上述した問題を解決するため、広告表示面を大きく取ることができ、消費者が製品情報を一目で認識することができる粘着式清掃具用の商品パッケージを提供することにある。
【０００９】
上述した目的を達成するため、本発明は、以下に示すいくつかの特徴を備えている。すなわち、請求項１に記載の発明は、粘着面が表側を向くように巻回された粘着テープロールを回転可能に支持するテープロール支持部および上記テープロール支持部の一端に設けられるグリップを有する清掃具本体と、上記粘着テープロールの外周面を覆い隠すカバーとを備えた粘着式清掃具を陳列展示するための商品パッケージにおいて、１枚のシート体からなり、一端側に舌片を残すようにＵ字状に切り欠かれた切欠孔を有し、上記切欠孔に上記グリップ部を挿通した状態で、上記カバーの外周面に沿って巻回されるカバー被覆面と、一端が上記カバー被覆面の他端に連結され、上記グリップの側面に沿って上記グリップの先端まで延設されるグリップ被覆面と、一端が上記グリップ被覆面の他端に連結され、折り線を介して上記グリップの先端から折り返され、上記グリップ被覆面との間で上記グリップを挟み込んで支持するグリップ支持面とを有することを特徴としている。
【００１０】
請求項２に記載の発明は、上記請求項１において、上記カバー被覆面と上記グリップ被覆面の境界部には、上記舌片が差し込まれるスリットが設けられていることを特徴としている。
【００１１】
請求項３に記載の発明は、請求項１または２において、上記グリップ被覆面と上記グリップ支持面との境界部には、上記グリップの先端に設けられた吊下孔を露出させるための開口部が設けられていることを特徴としている。
【００１２】
請求項４に記載の発明は、上記請求項１ないし３のいずれか１項において、上記グリップ被覆面または上記グリップ支持面のいずれか一方には、Ｕ字状の切欠溝によって形成される係止片を有し、いずれか他方には上記係止片が挿入される係止溝が設けられていることを特徴としている。
【００１３】
請求項５に記載の発明は、上記請求項１ないし４のいずれか１項において、上記カバー被覆面および上記グリップ被覆面は、上記粘着式清掃具の仕様や使用方法などの情報が表示される表示面として利用されることを特徴としている。
【発明の効果】
【００１４】
請求項１に記載の発明によれば、保護カバーからグリップにかけて帯状の商品パッケージが設けられるため、表示面をより大きく取ることができ、製品情報を分かりやすく記載することができる。
【００１５】
請求項２に記載の発明によれば、舌片が差し込まるスリットが設けられていることにより、カバー被覆面を保護カバーの外周に確実に保持しておくことができる。
【００１６】
請求項３に記載の発明によれば、グリップ被覆面とグリップ支持面との境界部にグリップの先端に設けられた吊下孔を露出させるための開口部を設けたことにより、商品を吊下陳列することができる。
【００１７】
請求項４に記載の発明によれば、グリップ被覆面またはグリップ支持面に係止手段としての係止片と係止溝を設けたことにより、商品パッケージを確実に清掃具本体に固定することができる。
【００１８】
請求項５に記載の発明によれば、カバー被覆面および上記グリップ被覆面は、粘着式清掃具の仕様や使用方法などの情報が表示される表示面として利用されることにより、購買者に製品情報を分かりやすく伝えることができる。
【発明を実施するための最良の形態】
【００１９】
次に、本発明の実施形態について図面を参照しながら説明すが、本発明はこの限りではない。図１は、本発明の一実施形態に係る商品パッケージの展開平面図であり、図２はその斜視図であり、図３（ａ）〜（ｃ）はその取付手順を示す斜視図である。なお、図中に示されている一点鎖線は折曲線である。
【００２０】
この商品パッケージ１は、図３に示す粘着式清掃具１０に適用される。粘着式清掃具１０は、手で把持されるグリップ１１と、粘着テープロールを回転可能に支持するテープロール支持部（ともに図示せず）とを有する清掃具本体１２と、粘着テープロールの外周面を覆い隠す保護カバー１３とを備えている。
【００２１】
グリップ１１の先端（図３では上端）には、清掃具本体１２を吊り下げて保管するための吊下孔１４が設けられており、この吊下孔１４が図示しないフックなどの係止鉤に引っ掛けられるようになっている。
【００２２】
粘着テープロールは、粘着テープの粘着面が表側を向くように巻回された清掃用の粘着テープロールであり、強粘着用やフローリング床用など仕様に応じて任意のものが選択される。本発明において、粘着テープロールは任意的事項である。
【００２３】
この例において、保護カバー１３は、断面Ｃ字状の２つのカバーメンバーをヒンジなどで開閉可能に連結して粘着テープロールを挟んで覆う開閉式カバーであり、突き当て面の一部には、グリップ１１の一部を外部に引き出すための引出孔（図示しない）が設けられている。
【００２４】
保護カバー１３の底部には、所定間隔をもって対向的に配置される一対の脚部１５が設けられている。保護カバー１３はスリーブ状であってもよい。
【００２５】
再び図１および図２を参照して、商品パッケージ１は、１枚の帯状の合成樹脂シートからなり、このシートには保護カバー１３の外周面に沿って巻き付けられるカバー被覆面２と、グリップ１１の背面に沿ってグリップ１１の先端まで延設されるグリップ被覆面３と、グリップ１１の先端から折り返され、グリップ被覆面３との間でグリップ１１を挟み込んで支持するグリップ支持面４とが含まれている。
【００２６】
この例において、商品パッケージ１は合成樹脂製シートからなるが、これ以外に紙製シートなどであってもよく、材質や色などは仕様に応じて任意に変更可能である。
【００２７】
カバー被覆面２は、一端側（図１では右端側）に、舌片２１を残すようにＵ字状に切り欠かれた切欠孔２２を有し、連結グリップ１１が差し込み可能な大きさを備えている。舌片２１は、切起片であり、その連結部が一端側寄りに設けられている。
【００２８】
カバー被覆面２のほぼ中央には、２本の折り線２３，２４が設けられている。折り線２３，２４は、保護カバー１３の底面に設けられた脚部１５，１５に沿ってあてがわれ、各折り線２３，２４の間のシートが保護カバー１３の底面に沿って平板状となるようになっている。
【００２９】
カバー被覆面２には、この粘着式清掃具１０の使用方法や粘着テープの種類、適用場所やイラストなどが記載された図示しないＰＯＰ広告を掲載することができる。カバー被覆面２に記載されるＰＯＰ広告は、粘着式清掃具１０の仕様に応じて任意に変更可能である。
【００３０】
カバー被覆面２とグリップ被覆面３との境界付近には、舌片２１が差し込まれるスリット２５が設けられている。スリット２５は、シートの幅方向に沿って切り欠かれており、舌片２１の幅とほぼ同じ幅に切り欠かれている。
【００３１】
この例において、グリップ被覆面３は、カバー被覆面２の幅よりも若干広幅な帯状に形成されており、カバー被覆面２の一端からグリップ１１の先端に至る長さを備えている。グリップ被覆面３には、カバー被覆面２と同様に粘着式清掃具１０の使用方法や粘着テープの種類、適用場所やイラストなどが記載された図示しないＰＯＰ広告を掲載することができる。
【００３２】
グリップ被覆面３の他端側には、折り線３１を挟んでグリップ支持面４が一体的に設けられている。グリップ支持面４は、折り線３１を介してグリップ１１の前面側に折り返され、グリップ被覆面３とグリップ支持面４との間でグリップ１１を挟持するようになっている。
【００３３】
グリップ被覆面３とグリップ支持面４の間には、グリップ１１の先端に設けられた吊下孔１４を露出させるための開口部５が設けられている。この例において、開口部５は、折り線３１を挟んでグリップ被覆面３とグリップ支持面４に対称に設けられており、グリップ支持面４をグリップ被覆面３側に折り畳むことにより、開口部５からグリップ１１の先端が露出するようになっている。
【００３４】
これによれば、開口部５からグリップ１１の先端に設けられた吊下孔１４が露出することにより、粘着式清掃具１０を吊り下げた状態でも陳列展示することができる。
【００３５】
グリップ被覆面３とグリップ支持面４には、それらを互いに係止するための係止手段が設けられている。この例において、グリップ支持面４には、Ｕ字状に形成された係止片４１，４１が設けられており、グリップ被覆面３には係止片４１，４１が差し込まれる係止溝３２，３２が設けられている。
【００３６】
これによれば、グリップ支持面４をグリップ被覆面３側に折り曲げたのち、グリップ支持面４の係止片４１，４１をグリップ被覆面３の係止溝３２，３２に係止することにより、グリップ被覆面３とグリップ支持面４との間でグリップ１１を狭持することができる。
【００３７】
次に、図３（ａ）〜（ｃ）を参照しながら、商品パッケージ１の取付手順の一例について説明する。まず、図３（ａ）に示すように、カバー被覆面２の舌片２２を引き起こして、切欠孔２１を露出させたのち、グリップ１１の先端を切欠孔２１に差し込む。
【００３８】
切欠孔２２をグリップの付け根部まで挿入したのち、カバー被覆面２を保護カバー１３の外周面に沿って巻く。このとき、折り線２３，２４が保護カバー１３の底部に設けられた脚部１５，１５に沿って当接させる。
【００３９】
カバー被覆面２を保護カバー１３に沿って巻回したのち、図３（ｂ）に示すように、グリップ被覆面３との境界付近に設けられたスリット２５に舌片２２を差し込む。これにより、カバー被覆面２が保護カバー１３に巻かれた状態で固定される。
【００４０】
次に、図３（ｂ）に示すように、グリップ被覆面３をグリップ１１の背面に沿ってグリップ１１の先端まで持ち上げたのち、グリップ支持面４をグリップ１１の前面側に沿って折り曲げる。このとき、開口部５からグリップ１１の先端に設けられた吊下孔１４を露出させる。
【００４１】
最後に、各係止片４１を各係止溝３２に差し込むことで、商品パッケージ１が粘着式清掃具１０に取り付けられる。この例において、商品パッケージ１は、係止片４１を係止溝３２に差し込んで固定しているが、粘着テープなどを用いて貼り付けてもよい。
【図面の簡単な説明】
【００４２】
【図１】本発明の一実施形態に係る商品パッケージ１の展開平面図。
【図２】商品パッケージの斜視図。
【図３】（ａ）〜（ｃ）商品パッケージの取付手順を説明する斜視図。
【符号の説明】
【００４３】
１  商品パッケージ  
２  カバー被覆面
２１  切欠孔
２２  舌片
２５  スリット
３  グリップ被覆面
４  グリップ支持面
１０  粘着式清掃具
１１  グリップ
１２  清掃具本体
１３  保護カバー
１４  吊下孔
【図１】
2008254786.tif 000003
【図２】
2008254786.tif 000004
【図３】
2008254786.tif 000005